(57)【要約】【課題】特異なフィルタ又はエレメントやその付属手段等を備えてなり、上記内燃機関に供給する吸入空気を活性化させて燃焼効率を向上させる技術を提供する。【解決手段】上記略矩形状枠体２３の上面に於ける水平位置にいわゆる吸入空気活性剤２５としての例えば、炭素繊維材又は炭素繊維片を張設・敷設している。該略矩形状枠体２３の下面には例えば、袋体で構成されかつ略山形状フィルタ（エレメント）２４ａを略矩形状枠体２３内に挿装し、その山形頂部２４ｂを下方に一連に突出させて配置している。該略山形状フィルタ（エレメント）２４ａ内は各種の吸入空気活性剤２５例えば、トルマリン粉粒剤やガラス繊維粉粒剤等を充填し、吸入空気が当該空気濾過清浄器Ａを流過した際、略山形状フィルタ（エレメント）２４ａはこの吸入空気にマイナスイオンや静電気若しくは遠赤外線等を発生させ吸入空気を活性化する作用を行う。【選択図】図２
2005320926.tif 000002
【特許請求の範囲】
【請求項１】
内燃機関の吸入空気流通経路に配置した空気濾過清浄器であって、略矩形状枠体と、該略矩形状枠体内に挿装されかつ前・後端又は左・右端を該略矩形状枠体内壁に固定されると共に表面又は内部に吸入空気活性剤を塗布し又は充填した一連の略山形状又は波状の袋体又は曲線体でなるフィルタ又はエレメントとで構成したことを特徴とする内燃機関の空気濾過清浄器。
【請求項２】
内燃機関の吸入空気流通経路に配置した空気濾過清浄器であって、略矩形状枠体と、上面が該略矩形状枠体の上面と面一に配置して該略矩形状枠体内に挿装されかつ左・右端が該略矩形状枠体の左・右内壁に固定されると共に内部にトルマリン粉粒剤及び内部の上端に断面略四角形の小炭素繊維片をそれぞれ充填・配置した一連の略山形状袋体でなるフィルタ又はエレメントとで構成したことを特徴とする内燃機関の空気濾過清浄器。
【請求項３】
前記一連の略山形状袋体でなるフィルタ又はエレメントの内部に前記トルマリン粉粒剤に代えてモナズ石粉粒剤、セラミック粉粒剤、炭素粉粒剤、シリコン粉粒剤、ガラス繊維粉粒剤のうちいずれか一つ又はトルマリン粉粒剤を含み各粉粒剤を選択混合してなる粉粒剤を充填したことを特徴とする請求項２記載の内燃機関の空気濾過清浄器。
【請求項４】
内燃機関の吸入空気流通経路に配置した空気濾過清浄器であって、略矩形状枠体と、上面が該略矩形状枠体の上面と面一に配置して該略矩形状枠体内に挿装されかつ左・右端が該略矩形状枠体の左・右内壁に固定されると共に内部の上端に垂下炭素繊維片を装填・配置した一連の略山形状袋体でなるフィルタ又はエレメントとで構成したことを特徴とする内燃機関の空気濾過清浄器。
【請求項５】
内燃機関の吸入空気流通経路に配置した空気濾過清浄器であって、略矩形状枠体と、上面が該略矩形状枠体の上面と面一に配置して該略矩形状枠体内に挿装されかつ左・右端が該略矩形状枠体の左・右内壁に固定されると共に該上面に炭素繊維片を敷設した一連の断面略半円状袋体でなるフィルタ又はエレメントとで構成したことを特徴とする内燃機関の空気濾過清浄器。
【請求項６】
内燃機関の吸入空気流通経路に配置した空気濾過清浄器であって、略矩形状枠体と、上面が該略矩形状枠体の上面と面一に配置して該略矩形状枠体内に挿装されかつ左・右端が該略矩形状枠体の左・右内壁に固定されると共に内部に炭素繊維剤、トルマリン粉粒剤、モナズ石粉粒剤、セラミック粉粒剤、炭素粉粒剤、シリコン粉粒剤、ガラス繊維粉粒剤のうちいずれか一つ又は各粉粒剤を選択混合してなる粉粒剤を充填した一連の断面略半円状袋体でなるフィルタ又はエレメントとで構成したことを特徴とする内燃機関の空気濾過清浄器。
【請求項７】
内燃機関の吸入空気流通経路に配置した空気濾過清浄器であって、略矩形状枠体と、上端部及び下端部がそれぞれ該略矩形状枠体の上方側及び下方側に突出した状態で枠体内に挿装されかつ左・右端が該略矩形状枠体の左・右内壁に固定されると共に外表面及び内表面に炭素繊維剤、トルマリン粉粒剤、モナズ石粉粒剤、セラミック粉粒剤、炭素粉粒剤、シリコン粉粒剤、ガラス繊維粉粒剤のうちいずれか一つ又は各粉粒剤を選択混合してなる粉粒剤を塗布した一連の略波状フィルタ又は略波状エレメントとで構成したことを特徴とする内燃機関の空気濾過清浄器。
【請求項８】
内燃機関の吸入空気流通経路に配置した空気濾過清浄器であって、略矩形状枠体と、上端部及び下端部がそれぞれ該略矩形状枠体の上方側及び下方側に突出した状態で枠体内に挿装されかつ左・右端が該略矩形状枠体の左・右内壁に固定されると共に内部の所望部位に炭素繊維片を充填した一連の略ジグザグ状薄型袋体でなるフィルタ又はエレメントとで構成したことを特徴とする内燃機関の空気濾過清浄器。
【請求項９】
内燃機関の吸入空気流通経路に配置した空気濾過清浄器であって、略矩形状枠体と、上端部及び下端部がそれぞれ該略矩形状枠体の上方側及び下方側に突出した状態で枠体内に挿装されかつ左・右端が該略矩形状枠体の左・右内壁に固定し、内部にやや長尺状の炭素繊維片を張設すると共にトルマリン粉粒剤を充填した一連の略ジグザグ状薄型袋体でなるフィルタ又はエレメントとで構成したことを特徴とする内燃機関の空気濾過清浄器。
【請求項１０】
前記略矩形状枠体の左・右内壁が縦方向若しくは横方向に延在する係入溝を形成すると共に前記フィルタ又はエレメントの左・右端が該係入溝に係合する単一又は複数の略Ｔ字状係合部を形成したことを特徴とする請求項２、３、４、５、６、７、８又は９記載の内燃機関の空気濾過清浄器。
【発明の詳細な説明】
【技術分野】
【０００１】
本発明は、車両や船舶又は航空機等の各種の内燃機関の吸気系に配設した空気濾過清浄器であって、特に、特異なフィルタ又はエレメントやその付属手段等を備えてなり、上記内燃機関に供給する吸入空気を活性化させて燃焼効率を向上させる内燃機関の空気濾過清浄器に関する。
【背景技術】
【０００２】
従来、この種の内燃機関の燃焼効率を向上させる技術としては、図１１に示すような特開平５−１６１４１３号公開特許公報に開示された技術がある。当該従来の技術は、自動車用エンジン装置へ適用する場合に使用する空気活性化処理装置１の一例を示すものであり、円筒状の槽本体２内へ天然放射能を有する鉱物の粒状体３やセラミック製遠赤外線放射体の粒状体３を充填することにより、形成されている。また、当該空気活性化処理装置１はエンジン装置への燃焼用空気の供給通路に介挿され、フィルタを通して吸入された空気が槽本体２内を流通することにより活性化され、燃焼用空気としてエンジン装置へ吸引されて行く。燃焼用空気は、空気入口４より槽本体２内へ供給され、槽内を矢印Ｐ方向へ流通する間に活性化され、空気出口５から外部へ取り出されて行く。尚、空気の槽内への供給は、ファン等で加圧供給をするようにしてもよいし、或いは、空気出口５側から槽内へ空気を吸引するようにしてもよい。槽本体２内へ流入した空気には、放射エネルギー発生体と接触しつつ槽内を流通し、その間に空気中の酸素分子や水分子が放射エネルギーを吸収することにより、所謂解離状態になったり、励起状態になったり或いは電離状態になる。活性化処理された空気は、空気出口５より取り出され、ボイラ等の燃焼装置へ供給されて行く。活性化処理により酸素や水分子が電離状態や解離状態になっている空気は、所謂反応性が高められており、燃焼酸化反応が促進されて発熱量等が増大する。
【特許文献１】特開平７−１９１２８号公開特許公報
【発明の開示】
【発明が解決しようとする課題】
【０００３】
従来の技術に於ける前述した内燃機関燃料の燃焼方法又は空気活性化処理装置によれば、円筒状の槽本体を備え、この槽本体内に鉱物の粒状体やセラミック、遠赤外線又は放射体の粒状体を装填すること及び別異のフィルタを設置する必要があり空気吸入管の改変やその設置に伴う工数が大幅に増大し、所期の燃焼効率を上げることが困難であるという問題点があった。
また、従来の空気濾過清浄器は、シート状を粘着テープやクリップ等の止め具で貼付けているので脱落することやフィルタが長期の使用に耐えられないという問題点もあった。
また、従来の空気濾過清浄器は、比較的大型となり、既存の貨物車両等の内燃機関の吸気系に取付ける場合、大幅な設計変更が余儀なくされ設置工数が増大するという隘路があった。
【課題を解決するための手段】
【０００４】
本発明に係る内燃機関の空気濾過清浄器は叙上の問題点を解決すべく発明したものであり、略矩形状枠体内に炭素繊維片やトルマリン粉粒剤等でなる吸入空気活性剤を内部に充填した袋体等で形成したフィルタ又はエレメントを挿装しており、この装置を内燃機関の吸入空気流通経路に配置し、内燃機関を作動した後に、外部より取入れた吸入空気に反応してマイナスイオンや遠赤外線若しくは静電気を発生させ、さらに、吸入空気中の酸素分子の集団を微細化させて内燃機関の燃焼効率を向上させること及び吸入空気中の酸素の分子と燃料の分子との結合を増大させ、不完全燃焼を防止することを目的としたものであって、次の構成、手段から成立する。
【０００５】
すなわち、請求項１記載の発明によれば、内燃機関の吸入空気流通経路に配置した空気濾過清浄器であって、略矩形状枠体と、該略矩形状枠体内に挿装されかつ前・後端又は左・右端を該略矩形状枠体内壁に固定されると共に表面又は内部に吸入空気活性剤を塗布し又は充填した一連の略山形状又は波状の袋体又は曲線体でなるフィルタ又はエレメントとで構成したことを特徴とする。
【０００６】
請求項２記載の発明によれば、内燃機関の吸入空気流通経路に配置した空気濾過清浄器であって、略矩形状枠体と、上面が該略矩形状枠体の上面と面一に配置して該略矩形状枠体内に挿装されかつ左・右端が該略矩形状枠体の左・右内壁に固定されると共に内部にトルマリン粉粒剤及び内部の上端に断面略四角形の小炭素繊維片をそれぞれ充填・配置した一連の略山形状袋体でなるフィルタ又はエレメントとで構成したことを特徴とする。
【０００７】
請求項３記載の発明によれば、請求項２記載の発明に於いて、前記一連の略山形状袋体でなるフィルタ又はエレメントの内部に前記トルマリン粉粒剤に代えてモナズ石粉粒剤、セラミック粉粒剤、炭素粉粒剤、シリコン粉粒剤、ガラス繊維粉粒剤のうちいずれか一つ又はトルマリン粉粒剤を含み各粉粒剤を選択混合してなる粉粒剤を充填したことを特徴とする。
【０００８】
請求項４記載の発明によれば、内燃機関の吸入空気流通経路に配置した空気濾過清浄器であって、略矩形状枠体と、上面が該略矩形状枠体の上面と面一に配置して該略矩形状枠体内に挿装されかつ左・右端が該略矩形状枠体の左・右内壁に固定されると共に内部の上端に垂下炭素繊維片を装填・配置した一連の略山形状袋体でなるフィルタ又はエレメントとで構成したことを特徴とする。
【０００９】
請求項５記載の発明によれば、内燃機関の吸入空気流通経路に配置した空気濾過清浄器であって、略矩形状枠体と、上面が該略矩形状枠体の上面と面一に配置して該略矩形状枠体内に挿装されかつ左・右端が該略矩形状枠体の左・右内壁に固定されると共に該上面に炭素繊維片を敷設した一連の断面略半円状袋体でなるフィルタ又はエレメントとで構成したしたことを特徴とする。
【００１０】
請求項６記載の発明によれば、内燃機関の吸入空気流通経路に配置した空気濾過清浄器であって、略矩形状枠体と、上面が該略矩形状枠体の上面と面一に配置して該略矩形状枠体内に挿装されかつ左・右端が該略矩形状枠体の左・右内壁に固定されると共に内部に炭素繊維剤、トルマリン粉粒剤、モナズ石粉粒剤、セラミック粉粒剤、炭素粉粒剤、シリコン粉粒剤、ガラス繊維粉粒剤のうちいずれか一つ又は各粉粒剤を選択混合してなる粉粒剤を充填した一連の断面略半円状袋体でなるフィルタ又はエレメントとで構成したことを特徴とする。
【００１１】
請求項７記載の発明によれば、内燃機関の吸入空気流通経路に配置した空気濾過清浄器であって、略矩形状枠体と、上端部及び下端部がそれぞれ該略矩形状枠体の上方側及び下方側に突出した状態で枠体内に挿装されかつ左・右端が該略矩形状枠体の左・右内壁に固定されると共に外表面及び内表面に炭素繊維剤、トルマリン粉粒剤、モナズ石粉粒剤、セラミック粉粒剤、炭素粉粒剤、シリコン粉粒剤、ガラス繊維粉粒剤のうちいずれか一つ又は各粉粒剤を選択混合してなる粉粒剤を塗布した一連の略波状フィルタ又は略波状エレメントとで構成したことを特徴とする。
【００１２】
請求項８記載の発明によれば、内燃機関の吸入空気流通経路に配置した空気濾過清浄器であって、略矩形状枠体と、上端部及び下端部がそれぞれ該略矩形状枠体の上方側及び下方側に突出した状態で枠体内に挿装されかつ左・右端が該略矩形状枠体の左・右内壁に固定されると共に内部の所望部位に炭素繊維片を充填した一連の略ジグザグ状薄型袋体でなるフィルタ又はエレメントとで構成したことを特徴とする。
【００１３】
請求項９記載の発明によれば、内燃機関の吸入空気流通経路に配置した空気濾過清浄器であって、略矩形状枠体と、上端部及び下端部がそれぞれ該略矩形状枠体の上方側及び下方側に突出した状態で枠体内に挿装されかつ左・右端が該略矩形状枠体の左・右内壁に固定し、内部にやや長尺状の炭素繊維片を張設すると共にトルマリン粉粒剤を充填した一連の略ジグザグ状薄型袋体でなるフィルタ又はエレメントとで構成したことを特徴とする。
【００１４】
請求項１０記載の発明によれば、請求項２、３、４、５、６、７又は８記載の発明に於いて、前記略矩形状枠体の左・右内壁が縦方向若しくは横方向に延在する係入溝を形成すると共に前記フィルタ又はエレメントの左・右端が該係入溝に係合する単一又は複数の略Ｔ字状係合部を形成したことを特徴とする。
【発明の効果】
【００１５】
本発明に係る内燃機関の空気濾過清浄器は、上述した構成を有するので次の効果がある。
【００１６】
すなわち、請求項１記載の発明によれば、内燃機関の吸入空気流通経路に配置した空気濾過清浄器であって、略矩形状枠体と、該略矩形状枠体内に挿装されかつ前・後端又は左・右端を該略矩形状枠体内壁に固定されると共に表面又は内部に吸入空気活性剤を塗布し又は充填した一連の略山形状又は波状の袋体又は曲線体でなるフィルタ又はエレメントとで構成したことを特徴とする内燃機関の空気濾過清浄器を提供する。
このような構成としたので、簡易な構成でなり、既存の内燃機関等の吸入空気流通経路に容易に取付け可能であるうえに、当該吸入空気にマイナスイオンや遠赤外線、静電気、若しくは放射線等を発生させ、吸入空気を活性化させると共にこれを燃料と混合し、車両のエンジン、船舶や航空機等各種の内燃機関の燃焼効率を大幅に向上させることができる。
【００１７】
請求項２記載の発明によれば、内燃機関の吸入空気流通経路に配置した空気濾過清浄器であって、略矩形状枠体と、上面が該略矩形状枠体の上面と面一に配置して該略矩形状枠体内に挿装されかつ左・右端が該略矩形状枠体の左・右内壁に固定されると共に内部にトルマリン粉粒剤及び内部の上端に断面略四角形の小炭素繊維片をそれぞれ充填・配置した一連の略山形状袋体でなるフィルタ又はエレメントとで構成したことを特徴とする内燃機関の空気濾過清浄器を提供する。
このような構成としたので、請求項１記載の発明の効果に加えて、採掘して容易に取得可能なトルマリン鉱石を粉末状又は粒状に成形し、これをフィルタやエレメントに充填すること及び汎用の炭素繊維片を併せて挿填した構成であり、本発明を容易に実施・実現し、各種の内燃機関の燃費向上や燃焼率向上を期待できる効果がある。また、上記フィルタやエレメントを略矩形状枠体内に適切かつ迅速に固定することができる。
【００１８】
請求項３記載の発明によれば、前記一連の略山形状袋体でなるフィルタ又はエレメントの内部に前記トルマリン粉粒剤に代えてモナズ石粉粒剤、セラミック粉粒剤、炭素粉粒剤、シリコン粉粒剤、ガラス繊維粉粒剤のうちいずれか一つ又はトルマリン粉粒剤を含み各粉粒剤を選択混合してなる粉粒剤を充填したことを特徴とする請求項２記載の内燃機関の空気濾過清浄器を提供する。
このような構成としたので、請求項２記載の発明の効果に加えて、吸入空気流通経路に流過する吸入空気を活性化させるために、トルマリン粉粒剤以外のモナズ石粉粒剤やセラミック粉粒剤等各種の活性剤を採用して、その混合比を適宜調整し、本発明の空気濾過清浄器を構成することができ各内燃機関の種類や特徴及び設計条件に適合させて燃焼効率を向上させることができる。
【００１９】
請求項４記載の発明によれば、内燃機関の吸入空気流通経路に配置した空気濾過清浄器であって、略矩形状枠体と、上面が該略矩形状枠体の上面と面一に配置して該略矩形状枠体内に挿装されかつ左・右端が該略矩形状枠体の左・右内壁に固定されると共に内部の上端に垂下炭素繊維片を装填・配置した一連の略山形状袋体でなるフィルタ又はエレメントとで構成したことを特徴とする内燃機関の空気濾過清浄器を提供する。
このような構成としたので、エレメントやフィルタを略矩形状枠体内に挿装した空気濾過清浄器の一方面、すなわち、上面等をフラットに構成したので全体を薄型に製作でき併せて、他方面を略山形状袋体を形成し、所定水平幅に於けるエレメント表面やフィルタ表面を拡張する機能を有し、吸入空気のさらなる活性化が図られ、内燃機関の燃焼効率の向上に寄与する。
【００２０】
請求項５記載の発明によれば、内燃機関の吸入空気流通経路に配置した空気濾過清浄器であって、略矩形状枠体と、上面が該略矩形状枠体の上面と面一に配置して該略矩形状枠体内に挿装されかつ左・右端が該略矩形状枠体の左・右内壁に固定されると共に該上面に炭素繊維片を敷設した一連の断面略半円状袋体でなるフィルタ又はエレメントとで構成したことを特徴とする内燃機関の空気濾過清浄器を提供する。
このような構成としたので、エレメントやフィルタを略矩形状枠体内に挿装した空気濾過清浄器の一方面、すなわち、上面等を炭素繊維材を有したフラットに構成したので全体を薄型に製作でき併せて、他方面を断面略半円状袋体を形成し、所定水平幅に於けるエレメント表面やフィルタ表面を拡張する機能を有し、吸入空気のさらなる活性化が図られ、内燃機関の燃焼効率の向上に寄与する。
【００２１】
請求項６記載の発明によれば、内燃機関の吸入空気流通経路に配置した空気濾過清浄器であって、略矩形状枠体と、上面が該略矩形状枠体の上面と面一に配置して該略矩形状枠体内に挿装されかつ左・右端が該略矩形状枠体の左・右内壁に固定されると共に内部に炭素繊維剤、トルマリン粉粒剤、モナズ石粉粒剤、セラミック粉粒剤、炭素粉粒剤、シリコン粉粒剤、ガラス繊維粉粒剤のうちいずれか一つ又は各粉粒剤を選択混合してなる粉粒剤を充填した一連の断面略半円状袋体でなるフィルタ又はエレメントとで構成したことを特徴とする内燃機関の空気濾過清浄器を提供する。
このような構成としたので、請求項５記載の発明の効果に加えて、該断面略半円状袋体でなるエレメント又はフィルタの内部に粉・粒状体の炭素繊維剤やトルマリン剤等各種の吸入空気活性剤を適宜に混合比を調整しかつ充填したのでさらなる吸入空気の活性化を促進し、各種内燃機関の燃焼効率をさらに合理的に向上させることができる。
【００２２】
請求項７記載の発明によれば、内燃機関の吸入空気流通経路に配置した空気濾過清浄器であって、略矩形状枠体と、上端部及び下端部がそれぞれ該略矩形状枠体の上方側及び下方側に突出した状態で枠体内に挿装されかつ左・右端が該略矩形状枠体の左・右内壁に固定されると共に外表面及び内表面に炭素繊維剤、トルマリン粉粒剤、モナズ石粉粒剤、セラミック粉粒剤、炭素粉粒剤、シリコン粉粒剤、ガラス繊維粉粒剤のうちいずれか一つ又は各粉粒剤を選択混合してなる粉粒剤を塗布した一連の略波状フィルタ又は略波状エレメントとで構成したことを特徴とする内燃機関の空気濾過清浄器を提供する。
このような構成としたので、略波状フィルタ又は略波状エレメントを略矩形状枠体内に挿装した空気濾過清浄器の一方面及び他方面、すなわち両面から吸入空気の活性化を図ると共に加えて、フィルタ及びエレメントの表面をさらに拡張する機能を果すと共に各活性剤を塗布し、吸入空気にマイナスイオン、遠赤外線又は放射線、静電気等の発生をさらに促進し内燃機関の燃焼効率をさらに向上させると共に活性剤の付着工数を大幅に削減することができる。
【００２３】
請求項８記載の発明によれば、内燃機関の吸入空気流通経路に配置した空気濾過清浄器であって、略矩形状枠体と、上端部及び下端部がそれぞれ該略矩形状枠体の上方側及び下方側に突出した状態で枠体内に挿装されかつ左・右端が該略矩形状枠体の左・右内壁に固定されると共に内部の所望部位に炭素繊維片を充填した一連の略ジグザグ状薄型袋体でなるフィルタ又はエレメントとで構成したことを特徴とする内燃機関の空気濾過清浄器を提供する。
このような構成としたので、請求項７記載の発明の効果に加えて、薄型袋体でなるジグザグ状のフィルタ又はエレメントを略矩形状枠体内に挿装し、当該空気濾過清浄器の両面から吸入空気の活性化を図ると共に該矩形状枠体の全体幅長を短く設定でき、小型の空気濾過清浄器を構成でき比較的狭い吸入空気流通経路にも適合させることができる。
【００２４】
請求項９記載の発明によれば、内燃機関の吸入空気流通経路に配置した空気濾過清浄器であって、略矩形状枠体と、上端部及び下端部がそれぞれ該略矩形状枠体の上方側及び下方側に突出した状態で枠体内に挿装されかつ左・右端が該略矩形状枠体の左・右内壁に固定し、内部にやや長尺状の炭素繊維片を張設すると共にトルマリン粉粒剤を充填した一連の略ジグザグ状薄型袋体でなるフィルタ又はエレメントとで構成したことを特徴とする内燃機関の空気濾過清浄器を提供する。
このような構成としたので、請求項８記載の発明の効果に加えて、当該ジグザグ状のフィルタ又はエレメント内に炭素繊維片を張設し、さらなる吸入空気の活性化を図り、マイナスイオンの増大を図ることができ、内燃機関の燃焼効率を向上させる。
【００２５】
請求項１０記載の発明によれば、前記略矩形状枠体の左・右内壁が縦方向若しくは横方向に延在する係入溝を形成すると共に前記フィルタ又はエレメントの左・右端が該係入溝に係合する単一又は複数の略Ｔ字状係合部を形成したことを特徴とする請求項２、３、４、５、６、７、８又は９記載の内燃機関の空気濾過清浄器を提供する。
このような構成としたので、上記エレメント又はフィルタの両端、すなわち左・右端を略矩形状枠体の左・右内壁にいわゆるワンタッチ方式により固定でき、空気濾過清浄器の製作工数若しくは吸入空気流通経路への設置工数を大幅に短縮できると共に当該エレメントやフィルタの取外しが容易となり部品交換作業が容易になる。
【発明を実施するための最良の形態】
【００２６】
以下、本発明に係る内燃機関の空気濾過清浄器の実施の形態について添付図面に基づき詳細に説明する。
【００２７】
図１は、内燃機関、特に、燃料噴射型ガソリン内燃機関及びその付属装置の一例を示すものであり、本発明に係る空気濾過清浄器Ａを吸気管、すなわち吸入空気流通経路７に配置した実施の形態を示している。
【００２８】
内燃機関としてのガソリン内燃機関６は、吸気系に配置している吸気管としての吸入空気流通経路７と、該吸入空気流通経路７に配置した空気濾過清浄器Ａと、排気系に配置している排気管８と、該吸入空気流通経路７からガソリン内燃機関６の燃焼室６ａへ吸入空気Ｐを流送する際、これを制御する吸気弁９と、該燃焼室６ａから排気管８に排出する排気ガス量を制御する排気弁１０と、該ガソリン内燃機関６に備えた燃料噴射弁１１と、該燃焼室６ａと一体になったクランクケース１２内で駆動するピストン１３と、上記排気管８に設けたＯ２センサ１４と、該Ｏ２センサ１４からの排気ガス中に包含する酸素濃度に比例した電気信号により燃焼室６ａへ注送する燃料の噴射量を制御するための燃料制御装置１５とを各々備えている。また、ガソリン内燃機関６の運転中には燃焼室６ａ内にブローバイ・ガス１２ａが流入する。このブローバイ・ガス１２ａは、水素（Ｈ２）、炭化水素（ＨＣ）又は部分酸化を受けた混合ガスや燃煙ガス等からなる。
【００２９】
ケーシング１６は第１連結パイプ１７を介してクランクケース１２のブローバイ・ガス排出口１２ｂと連通するブーロバイ・ガス吸入ポート１６ａと、吸入空気流通経路７に備えたベンチレーション・バルブ７ａを介して吸気ポート７ｂと連通する第２連結パイプ１８に接続されたガス供給口１６ｂとを有している。
上記ケーシング１６内には水とヒドロキシン化合物との混合液体が含まれており、さらに循環インレット１６ｃと循環アウトレット１６ｄとを備え、循環ポンプ１６ｅにより混合液体が循環される。ブローバイ・ガス１２ａ中のオイルミストを補足するためのオイルフィルタ１９が第１連結パイプ１７に設けられている。フェーエル・タンク２０から発生するガソリン蒸気には炭化水素（ＨＣ）が含まれていて大気を汚染するため、これを燃料の一部として有効利用するため、第３連結パイプ２１を介して、フェーエル・タンク２０と第２連結パイプ１８とを連通させている。
尚、図中、２２は、カーボンキャニスタである。
【００３０】
内燃機関としてのガソリン内燃機関６の運転中にクランクケース１２内に漏入したブローバイ・ガス１２ａとフェエル・タンク２０のガソリン蒸気はボローバイ・ガス吸入ポート１６ａを介してガスチューブ（不図示）に圧送される。循環ポンプ１６ｅはイグニッション・スイッチがＯＮされると同時に駆動されるため、リキッドチューブ（不図示）に混合液体が予め定められた圧力で給送される。リキッドチューブのノズル（不図示）から反応ゾーン（不図示）方向に水酸基を含む混合液体が高圧で噴出されると、酸素が多量に発生する。このとき、噴出ノズル（不図示）からガンリン蒸気（ＣＨ３）と水素（Ｈ２）が噴出されると、ＣＨ３から水素原子が分離してＣＨ２となり、混合液体中にＨ、ＣＨ２が混在する。この混合液体は循環ポンプ１６ｅを介してリキッドチューブから所定圧力で混合液体中に噴出する。その結果、リキッドチューブのノズルから多量の酸素イオン（Ｏ２）とＣＨＯとが生成される。混合室内はブローバイ・ガス１２ａにより高温となっているため、極めて小さな水蒸気（Ｈ２Ｏ）も生成される。リキッドチューブから発生した酸素分子は反応ゾーン中の水素をトラップしてＯＨイオンを生成している。酸素イオンＯＨイオン、水素イオン、炭化水素は混合室のオーバーフロー開口部（不図示）から流出して上昇し、そこでデフレクタ（不図示）の上部を通過しながらマイナスに帯電されて、ポート１６ｂから吸入空気流通経路７を介して燃焼室６ａに供給される。
【００３１】
次に、図２に基づき空気濾過清浄器Ａについて説明する。
該空気濾過清浄器Ａは、上記内燃機関６の吸気系としての吸入空気流通経路７に設置させ大概すれば、略矩形状枠体２３と該略矩形状枠体２３内に挿装される袋体等に形成されたフィルタ（エレメント）２４で構成される。このフィルタ（エレメント）２４は、吸入空気を流過する例えば、微細な網目状の空隙を形成した油含浸紙類で構成される。該略矩形状枠体２３は、外方にやや突出した外縁部２３ａと、該外縁部２３ａから垂下しかつ一体成形された本体部２３ｂとでなる。該略矩形状枠体２３は内部が空間となっており、この空間内に上記フィルタ（エレメント）２４を挿置する。また、上記外縁部２３ａと本体部２３ｂを結合した側面を面一に形成してもよい。
尚、図２に示す略矩形状枠体２３は、一例であって、本発明はこの形状に限定されず例えば円筒体やその他、角筒体等各種の形状であっても差支えない。つまり、上記各種の内燃機関の吸入空気流通経路７の形状や構造に適合するよう設計される。
【００３２】
上記略矩形状枠体２３の上面に於ける水平位置にいわゆる吸入空気活性剤２５としての例えば、図２に示すような炭素繊維材又は炭素繊維片を張設・敷設している。該略矩形状枠体２３の下面には例えば、袋体で構成されかつ略山形状フィルタ（エレメント）２４ａを略矩形状枠体２３内に挿装し、その山形頂部２４ｂを下方に一連に突出させて配置している。該略山形状フィルタ（エレメント）２４ａ内は各種の吸入空気活性剤２５例えば、トルマリン粉粒剤やガラス繊維粉粒剤等を充填し、吸入空気が当該空気濾過清浄器Ａを流過した際、略山形状フィルタ（エレメント）２４ａはこの吸入空気にマイナスイオンや静電気若しくは遠赤外線等を発生させ吸入空気を活性化する作用を行う。
【００３３】
次に本発明に係る内燃機関の空気濾過清浄器Ａの各実施例について説明する。
【実施例１】
【００３４】
図２及び図３は本発明に係る内燃機関の空気濾過清浄器Ａの実施例１を示すものであり、これについて説明する。
図３は、図２の矢視Ｂ−Ｂ線方向で切断した要部拡大断面図の一例であって、袋体で構成された略山形状フィルタ（エレメント）２４ａを示すものである。
【００３５】
上記略山形状フィルタ（エレメント）２４ａは曲線体を構成しかつ吸入空気を流過する例えば、微細な網目状の空隙を形成した油含浸紙類等で構成されてあって、図２に示すように略矩形状枠体２３内に挿装されている。そして、該略山形状フィルタ（エレメント）２４ａの左・右端２４Ａ（２４Ｂ）すなわち両端は、該略矩形状枠体２３の左・右内壁面２３ｃ、２３ｃに固着する。この固着手段は、例えば図３に示すように略山形状フィルタ（エレメント）２４ａの左端２４Ａを略Ｔ字状に構成する。右端２４Ｂは図示しないが左端２４Ａと同一のものが存在している。すなわち、左端２４Ａは水平部分２４Ａ１と垂直部分２４Ａ２とを形成し、この水平部分２４Ａ１及び垂直部分２４Ａ２に適合するように上記略矩形状枠体２３の左・右内壁面２３ｃ、２３ｃに横溝（不図示）及び縦溝（不図示）を形成する。そして、略山形状フィルタ（エレメント）２４ａの該左端２４Ａ及び右端２４Ｂを上記横溝及び縦溝に嵌挿して固着する。上記略山形フィルタ（エレメント）２４ａは弾性体として機能し、略矩形状枠体２３内への固着完了後は圧縮された形状が復元し、この復元力で該略矩形状枠体２３内に緊締状態で固定する。尚、略山形状フィルタ（エレメント）２４ａの固定方法はこれに限定されず、一方が爪であって他方がこの爪を係入する爪係入孔を形成する等各種の固定手段でもよい。
【００３６】
上記略山形状フィルタ（エレメント）２４ａは、その内部には図３に示すように吸入空気活性剤２５としてのトルマリン粉粒剤２５ｂを充填している。該トルマリン粉粒剤２５ｂは、トルマリン鉱石を粉末状又は粒状に形成し、これを単独に又は他の繊維材料や樹脂材料と共に充填する。そして、外部から太陽光線や圧力若しくは温度変化を与え、さらに摩擦や衝撃を加えると吸入空気が帯電現象を誘起し、この静電気が空気中の成分と融合してマイナスイオン化する。而して、マイナスイオン化した吸入空気Ｐと内燃機関６の燃焼室６ａで燃料と混合することによりピストン１３を駆動し、該内燃機関６の燃焼効率を上げる。
【００３７】
上記吸入空気活性剤２５は、トルマリン粉粒剤２５ｂに代えて、炭素繊維剤、モナズ石粉粒剤、セラミック粉粒剤、炭素粉粒剤、シリコン粉粒剤、ガラス繊維粉粒剤のいずれかを充填してもよく、また、上記各粉粒剤を適宜に選択混合してもよいものである。
また、トルマリン粉粒剤２５ｂは黒トルマリン又は赤トルマリンを使用し、紅寒水石、リチア石青方解石又は隆寒水石や珪酸塩鉱物又は炭素素材の粉粒体でもよい。そして、上述したトルマリン粉粒２５ｂ等はマイナスイオンや遠赤外線を発生させる素材として有効である。また、本発明では放射線発生素材としてモナズ石粉粒剤や微量のコバルト、ストロンチュ―ム、ヨウ素、ナトリウム、セシウム、ラジウム、ウラン、ラドン、プルトニウム、リン、カリウム及び鉄等を含有する各種の鉱物の粉粒体を使用してもよい。
そして、上述した各空気活性剤２５の適宜量を選択し混合・調整することにより各種内燃機関６の設計仕様等に合理的に適合させることができる。
【００３８】
上記略山形状フィルタ（エレメント）２４ａはその内部の上端付近に断面略四角形の比較的小さい炭素繊維片２５ａを該略矩形状枠体２３の前後方向であって、前記山形頂部２４ｂの反対方向に位置する部位に順次配設している。また、上記略山形状フィルタ（エレメント）２４ａは袋体であって、略矩形状枠体２３の下面側は図２に示すように前記山形頂部２４ｂを頂点にして山形形状部２４ａ１を多数連続的に一連に形成し（図３に示す）かつ突出形成している。そして、該略山形状フィルタ（エレメント）２４ａの上面は上記略矩形状枠体２３の上面と面一に設置された薄膜状フィルタ素材２４ａ２で構成されて、上記山形形状部２４ａ１と一緒になって左端及び右端２４Ａ、２４Ｂを形成している。（右端２４Ｂは図３では示していない）。
【００３９】
而して、図１に示す吸入空気Ｐが例えば、３ｍ／秒の速度で吸気管としての吸入空気流通経路７に流送されると、図３に示す吸入空気Ｐ１が上記略山形状フィルタ（エレメント）２４ａの山形形状部２４ａ１を通過し、該略山形状フィルタ（エレメント）２４ａ内のトルマリン粉粒剤２５ｂが粉粒子の相互が摩擦を行うと共に吸入空気Ｐ１と接触する等の働き等によりマイナスイオンや静電気、遠赤外線を発生させかつ活性化されて吸入空気Ｐ２として流過する。更に、吸入空気Ｐ２は上記小炭素繊維片２５ｂを流過して、さらに、マイナスイオンや遠赤外線若しくは静電気等を増大させつつ薄型状フィルタ素材２４ａ２を流過させて吸入空気Ｐ３が内燃機関６の燃焼室６ａへ流送される。
実施例１はこのように構成されたので、全体が比較的に薄型の空気濾過清浄器Ａを製作すると共に内燃機関６の燃焼効率を向上されることができる。
尚、図中、薄膜状フィルタ素材２４ａ２は本発明に於いては必ずしも装置することはない。
【実施例２】
【００４０】
図４は、本発明に係る内燃機関の空気濾過清浄器Ａの実施例２を示すものであり、これについて説明する。
図４は、前記図３と同様に図２の矢視Ｂ−Ｂ線方向で切断した要部拡大断面図の他の例であって、袋体で構成された略山形状フィルタ（エレメント）２４ｃを示すものである。
【００４１】
図４に於いて、２５ｃは垂下炭素繊維片であって、断面形状が縦長の略矩形体の形状で構成されている。そして、略山形状フィルタ（エレメント）２４ｃは、外形が略曲線体で構成し、吸入空気を流過する例えば、微細な網目状の空隙を形成した油含浸紙類等で構成されてあり、その内部の上端付近に該垂下炭素繊維片２５ｃを該略矩形状枠体２３の前後であって、前記山形頂部２４ｂの反対方向に位置する部位に各々順次配設している。当該実施例２は上記垂下炭素繊維片２５ｃを挿置するのみで略山形状フィルタ（エレメント）２４ｃの内部に特に、トルマリン粉粒剤やモナズ石粉粒剤等を充填しない例である。
尚、本実施例２はこれに限定されず該略山形状フィルタ（エレメント）２４ｃの内部にトルマリン粉粒剤やその他微量のコバルト、ストロンチューム等の粉粒体を充填しても差支えないものである。
【００４２】
そして、図１に示す吸入空気Ｐが例えば、３ｍ／秒の速度で吸気管としての吸入空気流通経路７に流送されると、図４に示す吸入空気Ｐ１が上記略山形状フィルタ（エレメント）２４ｃの山形形状部２４ｃ１を通過し、吸入空気Ｐ２として流過する。更に、吸入空気Ｐ２は上記垂下炭素繊維片２５ｃを流過し、該垂下炭素繊維片２５ｃが該吸入空気Ｐ１に接触する等して、さらに、マイナスイオンや遠赤外線若しくは静電気等を増大させつつ薄型状フィルタ素材２４ｃ２を流過させて吸入空気Ｐ３が内燃機関６の燃焼室６ａへ流送される。
実施例２はこのように構成されたので、全体を比較的に薄型の空気濾過清浄器Ａを製作すると共に内燃機関６の燃焼効率を向上されることができる。
尚、他の構成要素又はその動作や略山形状フィルタ（エレメント）２４ｃの略矩形状枠体２３内への固定態様は図３に示すものと略同一であり同一番号を付し、その説明を省略する。
【実施例３】
【００４３】
図５は本発明に係る内燃機関の空気濾過清浄器Ａの実施例３を示すものであり、これについて説明する。
該空気濾過清浄器Ａは、上記内燃機関６の吸気系としての吸入空気流通経路７に設置させ大概すれば、略矩形状枠体２３と該略矩形状枠体２３内に挿装される袋体等に形成されたフィルタ（エレメント）２４で構成される。このフィルタ（エレメント）２４は、吸入空気を流過する例えば、微細な網目状に形成され油含浸紙類で構成される。該略矩形状枠体２３は、外方にやや突出した外縁部２３ａと、該外縁部２３ａから垂下しかつ一体成形された本体部２３ｂとでなる。該略矩形状枠体２３は内部が空間となっており、この空間内に上記フィルタ（エレメント）２４を挿置する。また、上記外縁部２３ａと本体部２３ｂを結合した側面を面一に形成してもよい。
尚、図５に示す略矩形状枠体２３は、一例であって、本発明はこの形状に限定されず例えば円筒体やその他、角筒体等各種の形状であっても差支えない。つまり、上記各種の内燃機関の吸入空気流通経路７の形状や構造に適合するよう設計される。
【００４４】
図６は、図５の矢視Ｃ−Ｃ線方向を切断した要部拡大断面図であり、図６に示すように上記略矩形状枠体２３の上面に於ける水平位置に薄膜状フィルタ素材２４ｄ１を備えている。該略矩形状枠体２３の下面には例えば、袋体で構成されかつ外形が曲線体の断面略半円状フィルタ（エレメント）２４ｄを略矩形状枠体２３内に挿装し、その半円形頂部２４ｅを下方に一連に突出させて配置している。また、この断面略半円状フィルタ（エレメント）２４ｄは薄膜状フィルタ素材２４ｄ１と一体成形してもよい。該断面略半円状フィルタ（エレメント）２４ｄは吸入空気を流過する例えば、微細な網目状の空隙を形成した油含浸紙類等で構成されている。そして、各種の吸入空気活性剤２５例えば、小炭素繊維片２５ａ、トルマリン粉粒剤２５ｂやガラス繊維粉粒剤等を充填し、吸入空気が当該空気濾過清浄器Ａを流過した際、断面略半円状フィルタ（エレメント）２４ｄに内包された上記トルマリン粉粒剤２５ｂの働きによりこの吸入空気にマイナスイオンや静電気若しくは遠赤外線等を発生させ、吸入空気を活性化する作用を行う。
尚、図６に於いて他の構成部材又は構成要素や断面略半円状フィルタ（エレメント）２４ｄの略矩形状枠体２３内への固定態様及び吸入空気の働きは図４に示す実施例２に示すものと略同一であり、同一番号を付してその説明を省略する。
【実施例４】
【００４５】
図７及び図８は、本発明に係る内燃機関の空気濾過清浄器Ａの実施例４を示すものであり、これについて説明する。
図８は、図７の矢視Ｄ−Ｄ線方向で切断した要部拡大断面図の一例であって、略波状フィルタ（エレメント）２４ｆを示すものである。
【００４６】
上記略波状フィルタ（エレメント）２４ｆは、外形が略曲線体で構成し、吸入空気を流過する例えば、微細な網目状の空隙を形成した油含浸紙類等で構成されてあって、図７に示すように略矩形状枠体２３内に挿装されている。該略波状フィルタ（エレメント）２４ｆの左・右端２４Ａ（２４Ｂ）、すなわち両端は、該略矩形状枠体２３の左・右内壁面２３ｃ、２３ｃに固着する。この固着手段は、図８に示すように、略波状フィルタ（エレメント）２４ｆの左端２４Ａを略Ｔ字状に構成する。尚、右端２４Ｂは図８に図示しないが左端２４Ａと同一のものが存在している。
【００４７】
そして、左端２４Ａは水平部分２４Ａ１と、垂直部分２４Ａ２とを形成し、この水平部分２４Ａ１は上記左・右内壁面２３ｃ、２３ｃに形成した横溝２３ｃ１に及びこの垂直部分２４Ａ２は縦溝２３ｃ２にそれぞれ適合させて嵌挿する。右端２４Ｂ（不図示）側も同様に行い該略波状フィルタ（エレメント）２４ｆを上記略矩形状枠体２３内に挿装し、固定する。
尚、略波状フィルタ（エレメント）２４ｆの固定方法はこれに限定されず、一方が爪である場合に他方がこの爪を係入する溝や孔で構成することができる。
【００４８】
上記略波状フィルタ（エレメント）２４ｆは図７及び図８に示すように上端部としての上方波形頂部２４ｇ及び下端部としての下方波形頂部２４ｂを一体にかつ一連に形成している。そして、この略波状フィルタ（エレメント）２４ｆの上端部及び下端部が上記略矩形状枠体２３の上方側及び下方側に突出した状態で該枠２３内に挿装されている。この略波状フィルタ（エレメント）２４ｆは例えば、使用済みのペットボトルを細線状に裁断して網目状に組成すること及び使用済みペットボトルをそのままの状態で適宜裁断した後、その壁面部に網目状の空隙を形成する等各種の製造方法によってフィルタ又はエレメントを構成する。また、実施例１ないし３で説明したように当該略波状フィルタ（エレメント）２４ｆは吸入空気を流過する例えば微細な網目状の空隙を形成した油含浸紙類等で構成してもよい。
【００４９】
上記略波状フィルタ（エレメント）２４ｆは表面及び裏面に吸入空気活性剤２５としての例えば、トルマリン粉粒剤２５ｂや炭素繊維剤等を塗布する。この塗布方法は噴霧機や塗装具等でフィルタ（エレメント）の表面２４ｆ１及び裏面２４ｆ２の全域に塗布することにより行なう。
内燃機関６の吸入空気流通経路７に流送された吸入空気Ｐ１は図８に示すように、吸入空気Ｐ２からの吸入空気Ｐ３を経て内燃機関６の燃焼室６ａに流送される。ここに於いて、吸入空気Ｐ２により該吸入空気Ｐ２とトルマリン粉粒剤２５ｂ等が接触し又該トルマリン粉粒剤（各種吸入空気活性剤）２５ｂの相互が摩擦を行ないマイナスイオンや遠赤外線等を発生させる。また、外部から太陽光線や圧力若しくは温度変化によりさらに、摩擦や衝撃により該吸入空気Ｐ２が帯電現象を誘起し、これにより静電気が発生すると共に空気中の成分と融合してさらに、マイナスイオンが増大する。このようにマイナスイオン化した吸入空気Ｐ３は内燃機関６の燃焼室６ａで燃料と混合し、ピストン１３を駆動すると共に該内燃機関６の燃焼効率を上げる。
【００５０】
上記吸入空気活性剤２５は、トルマリン粉粒剤２５ｂに代えて、炭素繊維剤、モナズ石粉粒剤、セラミック粉粒剤、炭素粉粒剤、シリコン粉粒剤、ガラス繊維粉粒剤のいずれかを塗布してもよく、また、上記各粉粒剤を適宜に選択混合してもよいものである。
また、トルマリン粉粒剤２５ｂは黒トルマリン又は赤トルマリンを使用し、紅寒水石、リチア石青方解石又は隆寒水石や珪酸塩鉱物又は炭素素材の粉粒体でもよい。そして、上述したトルマリン粉粒２５ｂ等はマイナスイオンや遠赤外線を発生させる素材として有効である。また、本発明では放射線発生素材としてモナズ石粉粒剤や微量のコバルト、ストロンチュ―ム、ヨウ素、ナトリウム、セシウム、ラジウム、ウラン、ラドン、プルトニウム、リン、カリウム及び鉄等を含有する各種の鉱物の粉粒体を使用してもよい。
【００５１】
尚、上記略波状フィルタ（エレメント）２４ｆは、図６に示す実施例３のように袋体で構成してもよく、その場合、当該袋体内に上述した吸入空気活性剤２５、つまり、トルマリン粉粒剤２５ｂやモナズ石粉粒剤、セラミック粉粒剤等上述した各種の吸入空気活性剤を充填した構成としてもよい。
上述した図７及び図８に示す実施例４に於ける他の構成部材又は構成要素や波状フィルタ（エレメント）２４ｆの略矩形状枠体２３内への固定態様等及びその作用・動作等は上述した実施例１ないし３で説明したものと略同一であり、その説明を省略する。
【実施例５】
【００５２】
図９は、本発明に係る内燃機関の空気濾過清浄器Ａの実施例５を示すものであり、これについて説明する。
該図９は、当該実施例５に於ける略矩形状枠体２３内に挿装するいわゆる、略ジグザグ状薄型袋体で構成されたフィルタ（エレメント）２４ｈを示すものであって、一部を切欠した垂直拡大断面図である。
【００５３】
上記略ジグザク状フィルタ（エレメント）２４ｈは薄型袋体で構成されてあり、図９に示すように、その内部に吸入空気活性剤２５としての炭素繊維片２５ｄを充填している。この炭素繊維片２５ｄは、粉粒体若しくは棒状体又は板体等の形状で構成されており、該略ジグザグ状フィルタ（エレメント）２４ｈの表、裏面壁２４ｈ１、２４ｈ２間に介装されている。そして、該略ジグザグ状フィルタ（エレメント）２４ｈは図９に示すように上端としての上方頂部２４ｇ及び下端部としての下方頂部２４ｂを一体かつ一連にジグザグ状に形成している。そして、この略ジグザグ状フィルタ（エレメント）２４ｈの上端部及び下端部が上記略矩形状枠体２３の上方側及び下方側に突出した状態で該枠２３内に挿装されている。このとき、略ジグザグ状フィルタ（エレメント）２４ｈの復元力により、該略ジグザグ状フィルタ（エレメント）２４ｈは略矩形状枠体２３内に緊締した状態で固定される。
【００５４】
また、上記略ジグザグ状フィルタ（エレメント）２４ｈは実施例１ないし４で説明したようにその材料や材質又は構造は、吸入空気を流過するものであって、例えば、その表、裏面壁２４ｈ１、２４ｈ２が網目状の空隙を形成した油含浸紙類で構成してもよい。
尚、上記表、裏面壁２４ｈ１、２４ｈ２間に介装される吸入空気活性剤としては他のセラミック材でなる素材やガラス繊維材等を活用し、これを上記表、裏面壁２４ｈ１、２４ｈ２間に充填してもよい。また、該略ジグザグ状フィルタ（エレメント）２４ｈは袋体を構成することなく板状体であってもよく、その際該板状体内に上記吸入空気活性剤２５を埋設し又は該板状体の表、裏面部に吸入空気活性剤２５を塗布する。
【００５５】
上述した図９に示す実施例５に於ける他の構成要素又は構成部材や略ジグザグ状フィルタ（エレメント）２４ｈの略矩形状枠体２３内への固定態様等及びその作用、動作は上述した実施例１ないし４で説明したものと略同一であり、その説明を省略する。
【実施例６】
【００５６】
図１０は、本発明に係る内燃機関の空気濾過清浄器Ａの実施例６を示すものであり、これについて説明する。
該図１０は、当該実施例６に於ける略矩形状枠体２３内に挿装するいわゆる略ジグザグ状薄型袋体で構成されたフィルタ（エレメント）２４ｉを示すものであって、一部を切欠した垂直拡大断面図である。
【００５７】
上記略ジグザク状フィルタ（エレメント）２４ｉは薄型袋体で構成されてあり、図１０に示すように、その内部に吸入空気活性剤２５としてのやや長尺状の炭素繊維片２５ｅを張設すると共にトルマリン粉粒剤２５ｆを充填している。このトルマリン粉粒剤２５ｆは、これに代えて炭素繊維剤、モナズ石粉粒剤やセラミック粉粒剤等各種の吸入空気活性剤で構成してもよく、該略ジグザグ状フィルタ（エレメント）２４ｉの表、裏面壁２４ｉ１、２４ｉ２間に介装又は封止されている。そして、該略ジグザグ状フィルタ（エレメント）２４ｉは図１０に示すように上端としての上方頂部２４ｇ及び下端部としての下方頂部２４ｂを一体かつ一連にジグザグ状に形成している。そして、この略ジグザグ状フィルタ（エレメント）２４ｉの上端部及び下端部が上記略矩形状枠体２３の上方側及び下方側に突出した状態で該枠２３内に挿装されている。このとき、略ジグザグ状フィルタ（エレメント）２４ｉの復元力により、該略ジグザグ状フィルタ（エレメント）２４ｉは略矩形状枠体２３内に緊締した状態で固定される。
【００５８】
また、上記略ジグザグ状フィルタ（エレメント）２４ｉは実施例１ないし５で説明したようにその材料や材質又は構造は、吸入空気を流過するものであって、例えば、その表、裏面壁２４ｉ１、２４ｉ２が網目状の空隙を形成した油含浸紙類で構成してもよい。
尚、上記表、裏面壁２４ｉ１、２４ｉ２間に介装される吸入空気活性剤としては他のセラミック材でなる素材やガラス繊維材等を活用し、これを上記表、裏面壁２４ｉ１、２４ｉ２間に充填してもよい。また、該略ジグザグ状フィルタ（エレメント）２４ｉは袋体を構成することなく板状体であってもよく、その際該板状体内に上記吸入空気活性剤２５を埋設し又は該板状体の表、裏面部に吸入空気活性剤２５を塗布する。
【００５９】
上述した図１０に示す実施例６に於ける他の構成要素又は構成部材や略ジグザグ状フィルタ（エレメント）２４ｉの略矩形状枠体２３内への固定態様等及びその作用・動作は上述した実施例１ないし５で説明したものと略同一であり、その説明を省略する。
【図面の簡単な説明】
【００６０】
【図１】本発明に係る内燃機関の空気濾過清浄器Ａの好適な実施の形態を示す全体構成図である。
【図２】本発明に係る内燃機関の吸入空気流通経路に設置される空気濾過清浄器Ａの実施例１を示す斜視図である。
【図３】本発明に係る内燃機関の吸入空気流通経路に設置される空気濾過清浄器Ａの実施例１を示すものであって、図２の矢視Ｂ−Ｂ線方向で切断した要部拡大断面図である。
【図４】本発明に係る内燃機関の吸入空気流通経路に設置される空気濾過清浄器Ａの実施例２を示すものであって、図２の矢視Ｂ−Ｂ線方向で切断した要部拡大断面図である。
【図５】本発明に係る内燃機関の吸入空気流通経路に設置される空気濾過清浄器Ａの実施例３を示す斜視図である。
【図６】本発明に係る内燃機関の吸入空気流通経路に設置される空気濾過清浄器Ａの実施例３を示すものであって、図５の矢視Ｃ−Ｃ線方向で切断した要部拡大断面図である。
【図７】本発明に係る内燃機関の吸入空気流通経路に設置される空気濾過清浄器Ａの実施例４を示す斜視図である。
【図８】本発明に係る内燃機関の吸入空気流通経路に設置される空気濾過清浄器Ａの実施例４を示すものであって、図７の矢視Ｄ−Ｄ線方向で切断した要部拡大断面図である。
【図９】本発明に係る内燃機関の吸入空気流通経路に設置される空気濾過清浄器Ａの実施例５を示すものであって、略ジグザグ状フィルタ（エレメント）を一部切欠した要部拡大断面図である。
【図１０】本発明に係る内燃機関の吸入空気流通経路に設置される空気濾過清浄器Ａの実施例６を示すものであって、略ジグザグ状フィルタ（エレメント）を一部切欠した要部拡大断面図である。
【図１１】従来の技術に於ける空気活性化処理装置の一例を示す断面図である。
【符号の説明】
【００６１】
６        内燃機関
６ａ      内燃機関の燃焼室
７        内燃機関の吸入空気流通経路
７ａ      内燃機関のベンチレーション・バルブ
７ｂ      内燃機関の吸気ポート
８        内燃機関の排気管
９        内燃機関の吸気弁
１０      内燃機関の排気弁
１１      内燃機関の燃料噴射弁
１２      内燃機関のクランクケース
１２ａ    内燃機関のブローバイ・ガス
１３      内燃機関のピストン
１４      内燃機関のＯ２センサ
１５      内燃機関の燃料制御装置
１６      内燃機関のケーシング
１６ａ    内燃機関のブローバイ・ガス吸入ポート
１６ｂ    内燃機関のガス供給口
１６ｃ    内燃機関の循環インレット
１６ｄ    内燃機関の循環アウトレット
１６ｅ    内燃機関の循環ポンプ
１７      内燃機関の第１連結パイプ
１８      内燃機関の第２連結パイプ
１９      内燃機関のオイルフィルタ
２０      内燃機関のフェーエル・タンク
２１      内燃機関の第３連結パイプ
２２      内燃機関のカーボンキャニスタ
２３      略矩形状枠体
２３ａ    略矩形状枠体の外縁部
２３ｂ    略矩形状枠体の本体部
２３ｃ    略矩形状枠体の左・右内壁面
２３ｃ１  略矩形状枠体の左・右内壁面の横溝
２３ｃ２  略矩形状枠体の左・右内壁面の縦溝
２４      フィルタ（エレメント）
２４Ａ    フィルタ（エレメント）の左端
２４Ａ１  フィルタ（エレメント）の左端の水平部分
２４Ａ２  フィルタ（エレメント）の左端の垂直部分
２４Ｂ    フィルタ（エレメント）の右端
２４ａ    略山形状フィルタ（エレメント）
２４ａ１  略山形状フィルタ（エレメント）の山形形状部
２４ａ２  略山形状フィルタ（エレメント）の薄型状フィルタ素材
２４ｂ    略山形状フィルタ（エレメント）の山形頂部（略波状フィルタの下方波形頂部、略ジグザグ状フィルタの下方頂部）
２４ｃ    略山形状フィルタ（エレメント）
２４ｃ１  略山形状フィルタ（エレメント）の山形形状部
２４ｃ２  略山形状フィルタ（エレメント）の薄型状フィルタ素材
２４ｄ    断面略半円状フィルタ（エレメント）
２４ｅ    断面略半円状フィルタ（エレメント）の半円形頂部
２４ｆ    略波状フィルタ（エレメント）
２４ｆ１  略波状フィルタ（エレメント）の表面
２４ｆ２  略波状フィルタ（エレメント）の裏面
２４ｇ    略波状フィルタ（エレメント）上方波形頂部（略ジグザグ状フィルタの上方頂部）
２４ｈ    略ジグザグ状フィルタ（エレメント）
２４ｈ１  略ジグザグ状フィルタ（エレメント）の表面壁
２４ｈ２  略ジグザグ状フィルタ（エレメント）の裏面壁
２４ｉ    略ジグザグ状フィルタ（エレメント）
２４ｉ１  略ジグザグ状フィルタ（エレメント）の表面壁
２４ｉ２  略ジグザグ状フィルタ（エレメント）の裏面壁
２５      吸入空気活性剤
２５ａ    炭素繊維片
２５ｂ    トルマリン粉粒剤（モナズ石粉粒剤等各種の吸入空気活性素材）
２５ｃ    垂下炭素繊維片
２５ｄ    炭素繊維片
２５ｅ    長尺状の炭素繊維片
２５ｆ    トルマリン粉粒剤（モナズ石粉粒剤等各種の吸入空気活性素材）
【図１】
2005320926.tif 000003
【図２】
2005320926.tif 000004
【図３】
2005320926.tif 000005
【図４】
2005320926.tif 000006
【図５】
2005320926.tif 000007
【図６】
2005320926.tif 000008
【図７】
2005320926.tif 000009
【図８】
2005320926.tif 000010
【図９】
2005320926.tif 000011
【図１０】
2005320926.tif 000012
【図１１】
2005320926.tif 000013